(57)【要約】【課題】小サイズ原稿の排紙時の取り出し性、整列性を良くすることができる原稿給送装置を提供する。【解決手段】コンタクトガラス２の一端側に原稿給送装置１５から給紙されるシート状の原稿を読みとるためのスリットガラス７を設け、原稿給送装置１５をコンタクトガラス２の上側に位置しないように配置し、圧板３とＡＤＦ１５とを関係なしに自由に開閉可能とする。原稿給送装置１５は、原稿テーブル８の下側に大サイズの原稿を受ける第１の原稿受け１８を有するとともに小サイズの排紙原稿を受ける第２の原稿受け８ｂを有し、第２の原稿受け８ｂの原稿の排紙方向端部を、原稿テーブル８の設置領域よりも外方に露出するように延在させる。【選択図】　　　図１
2004067390.tif 000002
【特許請求の範囲】
【請求項１】
原稿を載置するための原稿載置部材と、該原稿載置部材に載置された原稿を給する分離給送部材と、該分離給送部材によって給送される原稿を搬送する搬送部材と、該搬送部材によって搬送される原稿の搬送径路となるＵ字状の搬送路と、前記原稿載置部材の下側に設けられ、画像読み取りが終了して排出される大サイズの原稿を受ける第１の原稿受けと、小サイズの原稿を受ける第２の原稿受けとを備え、
前記第２の原稿受けの原稿の排紙方向端部を、前記原稿載置部材の設置領域よりも外方に露出するように延在させることを特徴とする原稿給送装置。
【発明の詳細な説明】
【０００１】
【産業上の利用分野】
本発明は、複写機やファクシミリ等の電子写真装置に用いられるシートスルータイプの原稿給送装置に関する。
【０００２】
【従来の技術】
原稿を載置固定して読みとるための移動式の原稿読取部となるコンタクトガラスの一端側に、原稿給送装置から給紙される原稿を読みとるための固定式の原稿読取部となるスリットガラスの露光部を設けた画像読み取り装置には、例えば特許文献１に示すようなものがある。この装置はコンタクトガラスの上側に圧板があり、さらにその上側に原稿給送装置が配され、それぞれが独立で開閉するようになっている。また原稿給紙装置から供給された原稿の排紙は原稿載置台の下部から圧板上に行なわれるようになっていて、原稿給紙装置を開放することによって排紙された原稿の取り出しを行なえ、またコンタクトガラス上に原稿をセットすることを容易にするとともに、原稿給紙装置の軽量化を達成している。
【０００３】
【特許文献１】
特開平４−１７９６６１号公報
【０００４】
【発明が解決しようとする課題】
しかしながらこのような従来の原稿給送装置および画像読み取り装置には以下のような欠点がある。
【０００５】
（１）排紙原稿を取り出す時に、取りにくい小サイズ原稿（例えばＡ４ヨコ以下のサイズのもの）は、必ず原稿給紙装置を開放しなくてはいけないので、その分の動作が通常より多くなり、操作性が良くない。
【０００６】
（２）原稿がフラットな圧板上に排紙されるので、排紙原稿の進行方向のバラツキが大きくなり、整列性が良くなく、特に搬送スパンの短いＢ６ヨコ、Ａ５ヨコ等は頁順狂い等が生じる可能性が大きい。
【０００７】
（３）また原稿が排紙される圧板の上面がフラットな形状なので、原稿を取り去る時に指（手）が入る隙間がなく、原稿が取り出しにくい。
【０００８】
（４）コンタクトガラス上に原稿をセットするときに、原稿給紙装置と圧板の２つを開放しなくてはいけないので操作性が良くない。
【０００９】
本発明はこのような従来の問題点に鑑みてなしたもので、原稿載置台の下部に排紙される小サイズ原稿の取り出し性を良くし、かつ大サイズ（例えばＡ３、Ｂ４等のサイズのもの）と略同じ位置で取り出せ、小サイズ原稿の排紙時の整列性の良い原稿給送装置を提供することを目的とする。
【００１０】
【課題を解決するための手段】
本発明に係る原稿給送装置は上記目的を達成するために、原稿を載置するための原稿載置部材と、該原稿載置部材に載置された原稿を給する分離給送部材と、該分離給送部材によって給送される原稿を搬送する搬送部材と、該搬送部材によって搬送される原稿の搬送径路となるＵ字状の搬送路と、前記原稿載置部材の下側に設けられ、画像読み取りが終了して排出される大サイズの原稿を受ける第１の原稿受けと、小サイズの原稿を受ける第２の原稿受けとを備え、前記第２の原稿受けの原稿の排紙方向端部を、前記原稿載置部材の設置領域よりも外方に露出するように延在させることを特徴とするものである。
【００１１】
【発明の実施の形態】
以下、本発明の実施形態を図面を参照して説明する。
図１は本発明に係る原稿給送装置を備えた画像形成装置の一実施形態を示す断面図である。
まず、構成を説明する。画像形成装置の装置本体１にはコンタクトガラス２、圧板３が設けられており、ブック物等の原稿を載置固定して読みとるためのコンタクトガラス２の一端側にはスケール４、ランプ５および原稿給送装置１５から給紙されるシート状の原稿を読みとるための露光部を構成するスリットガラス７が設けられ、原稿給送装置（以下、単にＡＤＦという）１５をコンタクトガラス２の上側に位置しないように配置して構成してある。
【００１２】
すなわち、装置本体１にはブック物等の原稿をセットしてコピーするコンタクトガラス２の露光部と、シート物をＡＤＦ１５で搬送してコピーするスリットガラス７の露光部があり、コンタクトガラス２の上側を押さえる圧板３とスリットガラス７の上部に配置されたＡＤＦ１５は分割してあって、圧板３とＡＤＦ１５とは関係なしに自由に開閉できるようになっている。なお装置本体１の光学系はコンタクトガラス２のセット基準のスケール４の先端より図１中のｌだけ離れた位置がホームポジションであり、スリットガラス７はその位置に配置されている。
【００１３】
ＡＤＦ１５は、原稿テーブル（原稿載置部材）８、呼出しコロ１０、分離コロ１２、第１の加圧コロ１３、駆動コロ１６、排紙コロ１７、２２、第２の加圧コロ１９、阻止コロ２１を備え、これら全体によりＵ字状の搬送路を形成しており、また原稿テーブル８の下側にはＡ３、Ｂ４等の大サイズの排紙原稿を受ける第１の原稿受け１８を設けてある。このＡＤＦ１５で原稿９を搬送してコピーをとる時は、装置本体１の光学系であるランプ５と第１ミラー６等は図示の位置で固定であり、原稿９が移動してコピーされる。
【００１４】
なお、本実施形態では、分離コロ１２および阻止コロ２１が分離給装部材を構成し、第１の加圧コロ１３、駆動コロ１６、排紙コロ１７、２２、第２の加圧コロ１９、が搬送部材を構成している。
【００１５】
原稿テーブル８は、給紙する原稿９の載置部８ａの下側に、Ａ４ヨコ以下のサイズの小サイズの排紙原稿を受ける第２の原稿受け８ｂが形成された２段形状となっている。すなわち、本ＡＤＦ１５の下側位置には２つの原稿受け１８、８ｂが形成され、排紙方向を切り替えるための切替え爪２０がＵ字状の搬送路の途中、具体的には排紙コロ１７の出側に設けてある。また、本実施形態では、第２の原稿受け８ｂの原稿の排紙方向端部は原稿テーブル８の設置領域よりも外方に露出するように延在している。なお、本実施形態では、排紙コロ１７が第１排紙コロを構成し、排紙コロ２２が第２排紙コロを構成している。
【００１６】
次に、本実施形態装置の動作を説明する。なお、動作についてはマイクロコンピュータあるいはその応用機器により制御されるものとして説明するが、本発明がこのような制御システムを採用するものに限定されることはない。
【００１７】
まず、画像面を表にして原稿９を原稿テーブル８の載置部８ａにセットすると、この原稿９のセットがセットセンサー（図１中、矢印１１の位置に設ける。）で検知され、装置本体１に設けた図示せぬコピーボタンを押すと、ＡＤＦ１５が原稿９の搬送動作を実行する。
【００１８】
具体的には、呼出しコロ１０で原稿９を最上位から分離部へ給紙し、分離コロ１２と阻止コロ２１で一枚に分離された原稿９が駆動コロ１６と第１の加圧コロ１３で搬送される。レジストセンサー（図１中、矢印１４の位置に設ける。）が原稿９の先端を検知すると、駆動が停止され、装置本体１に原稿９の停止指令が送信される。
【００１９】
装置本体１よりスタートのコマンドを受けとるとＡＤＦ１５が駆動を開始し、スリットガラス７のある露光部へ原稿９を搬送し、画像読取りが開始される。原稿９の後端が第１の加圧コロ１３を過ぎると、原稿９は第２の加圧コロ１９で搬送される。なお、原稿９は駆動コロ１６だけで画像読取り部（スリットガラス７）上を搬送されるので、加圧コロ１３、１９で搬送される時のスピード差がなくなり、良好なコピー品質を得ることができる。そして原稿９の後端が第２の加圧コロ１９を通過すると排紙される。
【００２０】
排紙は原稿９のサイズで排紙先が変わるようになっている。例えばＡ３、Ｂ４のような長いサイズの原稿は原稿受け１８へ排紙される。この時の切替え爪２０は図示の実線位置となる。またＡ３やＢ４以外の小サイズの原稿は、排紙コロ１７、２２で搬送されて原稿テーブル８の原稿受け８ｂ上へ排紙される。このときの切替え爪２０の位置は図示の破線の位置となる。
【００２１】
なお、原稿９の長さあるいはサイズは図１中、矢印１４の位置に設けるレジストセンサーで検知する等従来公知の手法を採用して行なえば良い。そして、排紙された原稿の上側には手が入るスペースが十分に確保できるので、取り出しは問題なく行なえる。
【００２２】
このように本実施形態では、原稿テーブル８の下側に、画像読み取りが終了して排出される大サイズの原稿を受ける第１の原稿受け１８と、小サイズの原稿を受ける第２の原稿受け８ｂとを設け、第２の原稿受け８ｂの原稿の排紙方向端部を、原稿テーブル８の設置領域よりも外方に露出するように延在させているので、原稿のサイズに合わせて排出先を変えることができるようになり、整列性が良く、また排出された原稿を取り去りやすくすることができ、さらに、小サイズ原稿の取り出し位置をより一層向上させることができる。
【００２３】
【発明の効果】
本発明によれば、原稿のサイズに合わせて排出先を変えることができるようになり、原稿の整列性が良く、また、排出された原稿を取り去り易くすることができ、さらに、小サイズ原稿の取り出し位置をより一層向上させることができる。
【図面の簡単な説明】
【図１】本発明に係る原稿給送装置を備えた画像形成装置の一実施形態を示す断面図である。
【符号の説明】
１　　装置本体
２　　コンタクトガラス
３　　圧板
４　　スケール
５　　ランプ
６　　第１ミラー
７　　スリットガラス
８　　原稿テーブル
８ａ　　載置部
８ｂ　　第２の原稿受け
９　　原稿
１０　　呼出しコロ
１１　　セットセンサーの位置
１２　　分離コロ
１３　　第１の加圧コロ
１４　　レジストセンサーの位置
１５　　原稿給送装置（ＡＤＦ）
１６　　駆動コロ
１７　　排紙コロ
１８　　第１の原稿受け
１９　　第２の加圧コロ
２０　　切替え爪
２１　　阻止コロ
２２　　排紙コロ
【図１】
2004067390.tif 000003